(57)【特許請求の範囲】
【請求項１】
ディスプレイパネルを備えるディスプレイスクリーンにおいて、
前記ディスプレイパネルは、アクティブ領域と機能領域とを備え、
前記アクティブ領域は、情報を表示するように設定され、
前記機能領域は、情報を表示するための第１のモードまたは光を透過させるための第２のモードで動作可能であり、
前記機能領域は、前記ディスプレイスクリーンを備えたモバイル端末のカメラ、近接センサ、および周囲光センサを覆い、
前記近接センサは、光を発射するように構成された発光部と、発光部によって発射され外部の物体によって反射された光を受光するように構成された受光部とを備え、
前記発光部、前記受光部、前記カメラ、および前記周囲光センサは、前記携帯端末の筐体の底板に並列で配置され、前記発光部および前記受光部は、前記カメラの反対する両側に配置され、前記周囲光センサは、前記受光部の前記カメラから離れた側に配置され、
前記機能領域の領域は、前記カメラ、前記近接センサ、および前記周囲光センサの領域の合計以上である、
ディスプレイスクリーン。
【請求項２】
請求項１に記載のディスプレイスクリーンにおいて、
前記機能領域は、アクティブ領域に隣接する。
【請求項３】
請求項１に記載のディスプレイスクリーンにおいて、
前記機能領域は、アクティブ領域に囲まれる。
【請求項４】
請求項１から３のいずれか一項に記載のディスプレイスクリーンにおいて、
前記機能領域はディスプレイパネルの頂部または底部に配置される。
【請求項５】
請求項１から４のいずれか一項に記載のディスプレイスクリーンにおいて、
前記ディスプレイスクリーンは、前記ディスプレイパネルを覆うカバープレートをさらに備え、カバープレートは透明な材料で作られる。
【請求項６】
請求項１から５のいずれか一項に記載のディスプレイスクリーンにおいて、
前記機能領域と前記アクティブ領域は異なる材料で作られる。
【請求項７】
請求項１から６のいずれか一項に記載のディスプレイスクリーンと機能アセンブリとを備えるモバイル端末において、
前記機能アセンブリは前記機能領域の下に配置され、
前記機能領域が第２のモードで動作する場合、前記機能アセンブリは前記機能領域を通して発光および受光することができ、
前記機能アセンブリは、カメラ、近接センサ、および周囲光センサを備え、
前記近接センサは、光を発射するように構成された発光部と、発光部によって発射され外部の物体によって反射された光を受光するように構成された受光部とを備え、
前記発光部、前記受光部、前記カメラ、および前記周囲光センサは、前記携帯端末の筐体の底板に並列で配置され、前記発光部および前記受光部は、前記カメラの反対する両側に配置され、前記周囲光センサは、前記受光部の前記カメラから離れた側に配置され、
前記機能領域の領域は、前記カメラ、前記近接センサ、および前記周囲光センサの領域の合計以上である、
モバイル端末。
【請求項８】
請求項７に記載のモバイル端末において、
機能領域は、機能アセンブリの面積以上の面積を有する。
【請求項９】
モバイル端末のディスプレイスクリーンの制御方法において、
前記ディスプレイスクリーンはディスプレイパネルを備え、当該ディスプレイパネルはアクティブ領域と機能領域とを備え、前記モバイル端末は、カメラ、近接センサ、および周囲光センサを備え、
当該方法は、
前記モバイル端末の現在の動作状態を判定することと、
前記モバイル端末の現在の動作状態に応じ、前記機能領域を第１のモードまたは第２のモードで動作するように設定することと、
前記モバイル端末の現在の動作状態に応じ、前記カメラ、前記近接センサおよび前記周囲光センサを動作させることと、を含み、
前記機能領域は、前記ディスプレイスクリーンを備えたモバイル端末のカメラ、近接センサ、および周囲光センサを覆い、
前記近接センサは、光を発射するように構成された発光部と、発光部によって発射され外部の物体によって反射された光を受光するように構成された受光部とを備え、
前記発光部、前記受光部、前記カメラ、および前記周囲光センサは、前記携帯端末の筐体の底板に並列で配置され、前記発光部および前記受光部は、前記カメラの反対する両側に配置され、前記周囲光センサは、前記受光部の前記カメラから離れた側に配置され、
前記機能領域の領域は、前記カメラ、前記近接センサ、および前記周囲光センサの領域の合計以上である、
制御方法。
【請求項１０】
請求項９に記載の制御方法において、
前記機能領域が前記第１のモードで動作する場合、前記機能領域は情報を表示するように設定され、
前記機能領域が前記第２のモードで動作する場合、前記機能領域は光を透過させるように設定される。
【請求項１１】
請求項１０に記載の制御方法において、
前記モバイル端末はさらにカメラを備え、
前記モバイル端末の現在の動作状態を判定することは、前記カメラが起動されたかどうかを判定することをさらに含み、
前記機能領域を前記第１のモードまたは第２のモードで動作するように設定することは、
前記カメラが前記機能領域を通して外部画像を取り込むことができるように、前記カメラが起動された場合、前記機能領域を前記第２のモードで動作するように設定することをさらに含む。
【請求項１２】
請求項１０に記載の制御方法において、
前記モバイル端末は、近接センサをさらに備え、
前記モバイル端末の現在の動作状態を判定することは、前記モバイル端末が通信中であるかどうかを判定することを含み、
前記機能領域を前記第１のモードまたは第２のモードで動作するように設定することは、
前記モバイル端末が通信中である場合、前記機能領域を前記第２のモードで動作するように設定することで、前記近接センサは前記機能領域を通して発光及び受光し、前記モバイル端末と光を反射する外部の物体との間の距離を判定することができるようにすることを含む。
【請求項１３】
請求項１０に記載の制御方法において、
前記モバイル端末は、周囲光センサをさらに備え、
前記モバイル端末の現在の動作状態を判定することは、前記周囲光センサが起動されたかどうかを判定することを含み、
前記機能領域を前記第１のモードまたは第２のモードで動作するように設定することは、
前記周囲光センサが起動された場合、前記機能領域を前記第２のモードで動作するように設定することで、前記周囲光センサは前記機能領域を通して周囲光をセンシングし、周囲光に応じてディスプレイスクリーンの輝度を調整することができるようにすることを含む。
【発明の詳細な説明】
【技術分野】
【０００１】
本開示は、端末技術に関し、より詳細には、ディスプレイスクリーン、ディスプレイスクリーンを有するモバイル端末、ディスプレイスクリーンを制御する方法および装置に関する。
【背景技術】
【０００２】
人々はモバイル端末で学習したり娯楽を求めたりすることができます。モバイル端末技術の急速な発展に伴い、モバイル端末はますます普及し、人々の生活に欠かせない設備となっている。人々はモバイル端末を用いて学んだり、娯楽を求めたりすることができる。
【０００３】
現在、モバイル端末のディスプレイスクリーンは、通常、表示領域と表示領域の上方に位置する非表示領域とを備える。非表示領域の長さは表示領域の長さと同じである。非表示領域は、主にカメラ、マイク、センサーなどを配置するためのスルーホールを設けるために使用される。従って、非表示領域の幅をより狭くすることができず、表示領域の占める割合は高くならない。
【発明の概要】
【０００４】
本開示は、ディスプレイスクリーン、ディスプレイスクリーンを有するモバイル端末、ディスプレイスクリーンを制御する方法および装置を提供することを意図している。
【０００５】
本開示の一態様では、ディスプレイスクリーンが提供される。ディスプレイスクリーンはディスプレイパネルを備える。ディスプレイパネルはアクティブ領域と機能領域とを備える。アクティブ領域は情報を表示するように設定され、機能領域は情報を表示するための第１のモードまたは光を透過させるための第２のモードで動作可能である。
【０００６】
本開示の別の態様では、モバイル端末が提供される。モバイル端末は、上述のディスプレイスクリーンと機能アセンブリとを備える。機能アセンブリは機能領域の下に配置されている。機能領域が第２のモードで動作するとき、機能アセンブリは機能領域を通して発光および受光することができる。
【０００７】
本開示のさらに別の態様では、モバイル端末のディスプレイスクリーンを制御する方法が提供される。ディスプレイスクリーンはディスプレイパネルを備え、ディスプレイパネルはアクティブ領域と機能領域とを備える。当該方法は、モバイル端末の現在の動作状態を確定することと、モバイル端末の現在の動作状態に従って、機能領域を第１のモードまたは第２のモードで動作するように設定する。
【０００８】
本開示によれば、ディスプレイスクリーンは、アクティブ領域と機能領域とを有するディスプレイパネルを備える。機能領域が第１のモードで動作するとき、機能領域はアクティブ領域と共に情報を表示するように設定される。機能領域が第２のモードで動作するとき、機能領域は透明であるように設定されるので、機能アセンブリは、透明な機能領域を通して発光および受光することができる。従って、スルーホールをディスプレイスクリーンに規定しないことが可能であり、それによって、ディスプレイスクリーン全体に情報を表示することが可能になる。さらに、機能領域は光を透過させることができ、それによって表示領域の占める割合を効果的に向上させ、モバイル端末の美観が効果的に改善される。
【図面の簡単な説明】
【０００９】
【図１】図１は、本開示の一実施形態に係るモバイル端末の正面図である。
【図２】図２は、本開示の一実施形態に係るモバイル端末の断面図である。
【図３】図３は、本開示の一実施形態に係るモバイル端末の概略分解図である。
【図４】図４は、本開示の一実施形態に係るモバイル端末の筐体の概略構造図である。
【図５】図５は、本開示の一実施形態に係るモバイル端末のディスプレイパネルの概略構造図である。
【図６】図６は、本開示の一実施形態に係るディスプレイスクリーンを制御する方法のフローチャートである。
【図７】図７は、本開示の別の実施形態に係るディスプレイスクリーンを制御する方法のフローチャートである。
【図８】図８は、本開示のさらに別の実施形態に係るディスプレイスクリーンを制御する方法のフローチャートである。
【図９】図９は、本開示のさらに別の実施形態に係るディスプレイスクリーンを制御する方法のフローチャートである。
【図１０】図１０は、本開示の一実施形態に係るディスプレイスクリーンを制御するデバイスの概略構造図である。
【図１１】図１１は、本開示の別の実施形態に係るディスプレイスクリーンを制御する装置の概略構造図である。
【図１２】図１２は、本開示のさらに別の実施形態によるディスプレイスクリーンを制御する装置の概略構造図である。
【発明を実施するための形態】
【００１０】
図面を参照すると、同一または類似の参照番号は同一または類似の部分を表し、本開示の原理はシナリオでの実施によって示される。以下の説明は、本開示の示された実施形態に基づいており、本明細書で詳述されていない本開示の他の実施形態に対する限定として解釈されるべきではない。
【００１１】
説明で使用されている「実施形態」という用語は、例えば実例、実施例または例示を指すことを意図している。さらに、明細書および添付の特許請求の範囲で使用される冠詞「一」、「一つ」は、特に明示しない限り、または文脈によって明らかに矛盾しない限り、一般に「１つまたは複数」として解釈され得る。
【００１２】
本開示の説明において、理解されるべくことは、「中央」、「縦方向」、「横方向」、「長さ」、「幅」、「厚さ」、「上」、「上」、「下」、「前」、「後」、「左」、「右」、「垂直」、「水平」、「頂」、「底」、「内」、「外」、「時計回り」、「反時計回り」等の用語によって示される方向または位置関係は、添付の図面に示されたものであり、本発明を便利に説明し且つ説明を簡略化するためのものに過ぎず、ある装置または素子が特定の方位を有し、特定の方位で構造され、操作される必要があると意味または示唆しないと理解されたいため、本発明を制限するものと見なされない。
【００１３】
本開示において、他に明記しない限り、用語「装着」、「接続」、「結合」などは広義に理解されるべきであり、例えば、取り外し不可能な接続、取り外し可能な接続、または一体な接続であってよく、機械的接続、電気的接続、または相互通信を指すことができ、あるいは直接な接続、中間媒体を介した間接的接続、または２つの要素間の連通もしくは２つの要素間の相互作用の関係を指すことができる。当業者にとって、本開示における前述の用語の具体的な意味は、具体的な状況に照らして理解されるべきである。
【００１４】
本開示において、特に明記しない限り、第一特徴が第二特徴の「上」または「下」に位置するという表現は、第一特徴及び第二特徴が直接接触すると意味してもよく、第一特徴及び第二特徴が直接接触せず、別の特徴を介して接触すると意味してもよい。且つ、第一特徴が第二特徴の「上」、「上方」または「上側」に位置するという表現は、第一特徴の水平レベルが第二特徴の水平レベルよりも高いと意味するに過ぎない。第一特徴が第二特徴の「下」、「下方」または「下側」に位置するという表現は、第一特徴の水平レベルが第二特徴の水平レベルよりも低いと意味するに過ぎない。
【００１５】
本開示様々な実施形態または実施例が提供され、本開示の異なる構造が実現される。本開示の説明を簡略化するために、以下、特定の実施例の構成要素及び配置が述べられる。言うまでもなく、これらは、例に過ぎず、本発明を制限すると意図しない。また、本開示は、異なる実施例において、参照番号及び／又は参照文字が繰り返し用いられてもよい。この繰り返しは、簡略化及び明瞭のためのものであり、様々な実施例及び／又は配置の間の関係を意味しない。また、本開示は、様々な特定のプロセス及び材料の例を提供するが、当業者にとって、他のプロセス及び材料の応用を想到することができる。
【００１６】
以下、本発明の実施形態に係るモバイル端末について説明する。説明の便宜上、本開示の実施形態に関連する部分のみを図示する。
【００１７】
図１は、本開示の一実施形態によるモバイル端末１００の正面図であり、図３は、本開示の一実施形態によるモバイル端末１００の概略分解図である。図１に示すモバイル端末１００はスマートフォンであるが、本開示のモバイル端末は、タブレット型コンピュータ、ノート型コンピュータ、携帯情報端末（ＰＤＡ）等のディスプレイスクリーンを有する端末であってもよい。
【００１８】
図１および図３に示すように、モバイル端末１００は、筐体１１と、ディスプレイスクリーン１２と、プリント回路基板１３と、機能アセンブリ１５とを備える。筐体１１およびディスプレイスクリーン１２で取り囲まれた収容空間１４に、プリント回路基板１３と機能アセンブリ１５が収容されている。
【００１９】
図４は、本開示の一実施形態によるモバイル端末１００の筐体１１の概略構造図である。図４に示すように、筐体１１は、底板１１１と、底板１１１の周囲から底板１１１に垂直な方向に延びるサイドフレーム１１２とを有する。少なくとも一実施形態では、機能アセンブリ１５は底板１１１上に配置される。
【００２０】
筐体１１は、プラスチック材料、セラミック材料、および金属材料のうちの少なくとも１つから製造されてよい。
【００２１】
ディスプレイスクリーン１２は、画像、ビデオ、またはテキストなどの電子ファイルを表示するように構成されている。ディスプレイスクリーン１２は、プリント回路基板１３と電気的に接続されている。
【００２２】
図３に示すように、モバイル端末１００は、さらにバッテリー５０を備える。ディスプレイスクリーン１２は、フレキシブルプリント回路基板を介してプリント回路基板１３に電気的に接続してよい。
【００２３】
図２は本開示の一実施形態によるモバイル端末の断面図である。少なくとも一実施形態では、図２および図３に示すように、機能アセンブリ１５は、カメラ１５０、近接センサ、および周囲光センサ１５３を具備する。機能アセンブリ１５は、プリント回路基板１３に電気的に接続されている。
【００２４】
少なくとも一実施形態では、機能アセンブリ１５は、カメラ１５０、近接センサ、および周囲光センサ１５３から選択された少なくとも一つを有する。
【００２５】
本実施形態において、近接センサは、光を外部に発射するように構成された発光部１５１と、発光部１５１によって発射され外部の物体によって反射された光を受光するように構成された受光部１５２とを備えてよい。
【００２６】
少なくとも１つの実施形態では、発光部１５１は、赤外線を外部に放射するように構成された赤外線発光ダイオード（ＩＲ  ＬＥＤ）などの赤外線発信部であってよく、受光部１５２は、赤外線を受光するように構成された赤外線受信部であってよい。
【００２７】
少なくとも１つの実施形態では、発光部１５１は、外部にレーザーを発射するように構成されたレーザー発信部であってよく、受光部１５２は、レーザーを受信するように構成されたレーザー受信部であってよい。
【００２８】
少なくとも１つの実施において、近接センサの受光部１５２はさらに周囲光センサ１５３と一体化されてもよく、すなわち近接センサの受光部１５２および周囲光センサ１５３は１つのモジュールに一体化されてもよい。このように、モジュールは、発光部１５１によって放射された不可視光（例えば赤外光）を受光できるだけでなく、外部からの可視光も受光できる。
【００２９】
少なくとも１つの実施形態では、受光部１５２と周囲光センサ１５３とは別々で独立に配置されてもよい。少なくとも１つの実施形態では、受光部１５２と周囲光センサ１５３とは、並列で配置されてもよい。
【００３０】
実際には、近接センサは、モバイル端末１００が通信中である場合、発光部１５１から発射されてユーザの顔によって反射された光を検出することによって、モバイル端末１００がユーザの顔に近接しているかどうかを判定できる。ディスプレイスクリーン１２のバックライトは、モバイル端末１００がユーザの顔に近接しているときにオフされることで、電力消費が低減され、誤操作が防止される。
【００３１】
周囲光センサ１５３は、周囲光がディスプレイスクリーン１２を透過するときに周囲光をセンシングすることができる。ディスプレイスクリーン１２の輝度は、周囲光センサ１５３によってセンシングされた周囲光の強度に従って調整される。
【００３２】
図２及び図３に示すように、ディスプレイスクリーン１２は、情報を表示するディスプレイパネル３１と、ディスプレイパネル３１を覆うカバープレート３２とを備える。カバープレート３２は、透明材料からなり、ディスプレイパネル３１を保護する。ユーザは、モバイル端末を制御し対応する機能を実現するように、カバープレート３２の表面上でジェスチャ操作（タップまたはスワイプなど）を行うことができる。
【００３３】
図３に示すように、ディスプレイパネル３１は、アクティブ領域１２２と機能領域１２３とを具備する。少なくとも１つの実施形態では、機能領域１２３はアクティブ領域１２２に隣接している。アクティブ領域１２２は情報を表示するように設定される。一方、機能領域１２３は情報を表示するように、または透明になるように設定される。
【００３４】
機能領域１２３は、第１のモード（表示モード）で動作しているときに情報を表示するように設定されている。一方、機能領域１２３は、第２のモード（機能モード）で動作しているときに、光を透過させるように透明に設定されている。
【００３５】
少なくとも一実施形態では、機能領域１２３はディスプレイパネル３１の頂部または底部に設けられる。少なくとも一実施形態では、機能領域１２３はディスプレイパネル３１の頂部または底部の中央に設けられる。少なくとも１つの実施形態では、機能領域１２３はディスプレイパネル３１の端部に設けられ、普通、ディスプレイパネル３１の端部は情報を表示しないので、表示された情報の連続性は破壊されない。
【００３６】
図３に示すように、機能領域１２３は、半円形状をしている。
【００３７】
図５は、本開示の一実施形態によるモバイル端末１００のディスプレイパネル３１の別の概略構造図である。少なくとも一実施形態では、図５に示すように、機能領域１２３はアクティブ領域１２２によって囲まれ、楕円形状を有するが、本開示はそれに限定されない。少なくとも１つの実施形態では、機能領域１２３は、角丸長方形、角丸正方形、円形などであってよい。これらの形状は、モバイル端末１００の美観を効果的に向上させることができる。
【００３８】
機能アセンブリ１５は、機能領域１２３の下に配置されている。機能領域１２３は、第１のモードで動作しているときに、アクティブ領域１２２と共に情報を表示するように設定されている。一方、第２のモードで動作しているとき、機能領域１２３は透明であり、機能アセンブリ１５が透明な機能領域１２３を通して発光および受光することを可能にするように設定されている。
【００３９】
少なくとも１つの実施形態では、第１のモードで動作する機能領域１２３は、アクティブ領域１２２に表示される情報に対応する１つ以上のサムネイルを表示するように設定される、または第１のモードで動作する機能領域１２３はアクティブ領域１２２と共に情報を表示するように設定される。
【００４０】
機能領域１２３は、機能アセンブリ１５の面積以上の面積を有する。少なくとも一実施形態では、機能領域１２３の領域は、カメラ１５０、近接センサ、および周囲光センサ１５３の領域の合計以上である。そのため、機能領域１２３が第１のモードで動作しているときには、ディスプレイパネル３１は、カメラによる外部画像の撮像を妨げず、近接センサおよび周囲光センサの機能領域１２３を通した発光及び受光を妨げない。
【００４１】
少なくとも１つの実施形態では、モバイル端末１００がカメラ１５０を起動すると、機能領域１２３は透明になるように設定され、機能領域１２３は透明領域として機能し、カメラ１５０は透明な機能領域１２３を通して外部画像を取り込むことができる。
【００４２】
少なくとも１つの実施形態では、モバイル端末１００が通信しているとき、機能領域１２３は透明になるように設定され、機能領域１２３は透明領域として機能し、近接センサは透明な機能領域１２３を通して発光および受光できることで、モバイル端末１００と光を反射する外部の物体との間の距離が確定される。
【００４３】
少なくとも１つの実施形態では、モバイル端末１００が周囲光センサ１５３を起動させると、機能領域１２３は透明になるように設定される。機能領域１２３は周囲光センサ１５３が透明な機能領域１２３を通して周囲光をセンシングできるように透明領域として機能し、周囲光に応じてディスプレイスクリーン１２の輝度を調整する。
【００４４】
機能領域１２３とアクティブ領域１２２は異なる材料から作られてもよい。したがって、アクティブ領域１２２は単に情報を表示するように設定されるが、機能領域１２３は情報を表示するかまたは透明になるように設定される。したがって、機能領域１２３が第１のモードで動作するとき、機能領域１２３はアクティブ領域１２２と共に情報を表示するように設定される。機能領域１２３が第２のモードで動作するとき、機能領域１２３は、機能アセンブリ１５が透明な機能領域１２３を通して発光および受光できるように透明になるように設定される。
【００４５】
少なくとも一実施形態では、アクティブ領域１２２は液晶ディスプレイパネルであり、機能領域１２３は透明ディスプレイパネルである。したがって、機能領域１２３が情報を表示する必要がない場合、機能領域１２３は、透明になるように設定されて、機能アセンブリ１５が透明な機能領域１２３を通して発光および受光することを可能にする。一方、機能領域１２３が情報を表示する必要がある場合には、機能領域１２３に表示すべき情報が機能領域１２３に出力される。
【００４６】
以上のように、本開示のモバイル端末によれば、ディスプレイスクリーンは、アクティブ領域と機能領域とを有するディスプレイパネルを備える。機能領域が第１のモードで動作するとき、機能領域は情報をアクティブ領域と共に表示するように設定される。機能領域が第２のモードで動作するとき、機能領域は透明になり、機能アセンブリが透明な機能領域を通して発光および受光できるように設定され。したがって、スルーホールをディスプレイスクリーンに設ける必要がなく、よって、ディスプレイスクリーン全体に情報を表示することが可能になる。さらに、機能領域は光を透過させることができるので、表示領域の占める割合が効果的に向上され、モバイル端末の美観が効果的に改善される。
【００４７】
図６は、本開示の一実施形態によるディスプレイスクリーンを制御する方法のフローチャートである。当該方法は、図１から図５に示すようにモバイル端末１００に適用される。図６に示すように、当該方法はブロック１０１においてスタートしてよい。
【００４８】
ブロック１０１において、モバイル端末の現在の動作状態が判定される。
【００４９】
ブロック１０２において、機能領域は、モバイル端末の現在の動作状態に応じて、第１のモードまたは第２のモードで動作するように設定される。
【００５０】
少なくとも一実施形態では、機能領域が第１のモードで動作するとき、機能領域は情報を表示するように設定される。機能領域が第２のモードで動作するとき、機能領域は、透明になるように設定され、機能アセンブリが透明な機能領域を通して発光および受光することを可能にする。
【００５１】
少なくとも１つの実施形態では、アクティブ領域は液晶ディスプレイパネルであり、機能領域は透明ディスプレイパネルである。したがって、機能領域が情報を表示する必要がない場合、機能領域は、透明になるように設定され、機能アセンブリが透明な機能領域を通して発光および受光することを可能にする。一方、機能領域に情報を表示する必要がある場合には、機能領域に表示すべき情報が機能領域に出力される。
【００５２】
図７は、本開示の別の実施形態によるディスプレイスクリーンを制御するための方法のフローチャートである。当該方法は、カメラとディスプレイスクリーンとを有するモバイル端末に適用される。ディスプレイスクリーンは、アクティブ領域と機能領域とを有するディスプレイパネルを備える。カメラは機能領域の下に配置される。図７に示すように、当該方法はブロック２０１においてスタートしてよい。
【００５３】
ブロック２０１において、カメラが起動されたかどうかが判定される。
【００５４】
ブロック２０２において、カメラが起動された場合、機能領域は第２のモードで動作するように設定され、よって、カメラは透明な機能領域を通して外部画像を取り込むことができる。
【００５５】
図８は、本開示のさらに別の実施形態によるディスプレイスクリーンを制御する方法のフローチャートである。当該方法は、近接センサとディスプレイスクリーンとを有するモバイル端末に適用される。ディスプレイスクリーンは、アクティブ領域と機能領域とを有するディスプレイパネルを備える。近接センサは機能領域の下に配置されている。図８に示すように、方法はブロック３０１においてスタートしてよい。
【００５６】
ブロック３０１において、モバイル端末が通信中であるかどうかが判定される。
【００５７】
ブロック３０２において、モバイル端末が通信中である場合に機能領域は第２のモードで動作するように設定され、よって、近接センサが透明な機能領域を通して発光および受光し、モバイル端末と光を反射する外部の物体との間の距離を判定することができる。
【００５８】
図９は、本開示のさらに別の実施形態によるディスプレイスクリーンを制御する方法のフローチャートである。当該方法は、周囲光センサとディスプレイスクリーンとを有するモバイル端末に適用される。ディスプレイスクリーンは、アクティブ領域と機能領域とを有するディスプレイパネルを備える。周囲光センサは機能領域の下に配置されている。図９に示すように、方法はブロック４０１においてスタートしてよい。
【００５９】
ブロック４０１において、周囲光センサが起動されたかどうかが判定される。
【００６０】
ブロック４０２において、周囲光センサが起動された場合に、機能領域は第２のモードで動作するように設定され、よって、周囲光センサは透明な機能領域を通して周囲光をセンシングし、周囲の光に応じてディスプレイスクリーンの輝度を調整することができる。
【００６１】
図１０は、本開示の一実施形態によるディスプレイスクリーンを制御するための装置６００の概略構造図である。説明の便宜上、本開示の実施形態に関連する部分のみを図示する。装置６００は、ディスプレイスクリーンを有するモバイル端末内のソフトウェア、ハードウェア、またはソフトウェアとハードウェアとの組み合いでもよい。ディスプレイスクリーンは、アクティブ領域と機能領域とを有するディスプレイパネルを備える。図１０に示すように、機器６００は、状態判定ユニット６０１と設定ユニット６０２とを備える。
【００６２】
状態判定ユニット６０１は、モバイル端末の現在の動作状態を判定するように構成されている。
【００６３】
設定ユニット６０２は、モバイル端末の現在の動作状態に応じて、第１のモード或いは第２のモードで動作するように機能領域を設定するように構成される。
【００６４】
図１１は、本開示の別の実施形態によるディスプレイスクリーンを制御するための装置の概略構造図である。図１１に示すように、設定ユニット６０２は、第１の設定サブユニット６０７と第２の設定サブユニット６０８とを有する。
【００６５】
第１の設定サブユニット６０７は、情報を表示するための第１のモードで動作するように機能領域を設定するように構成されている。
【００６６】
第２の設定サブユニット６０８は、機能アセンブリが透明な機能領域を通して発光および受光することを可能にするために、第２のモードで動作するように機能領域を設定するように構成される。
【００６７】
少なくとも１つの実施形態では、モバイル端末が機能領域の下に配置されたカメラをさらに有する場合、図１１に示されるように、状態判定ユニット６０１はカメラ判定サブユニット６０４を備える。
【００６８】
カメラ判定サブユニット６０４は、カメラが起動されたかどうかを判定するように構成される。
【００６９】
第２の設定サブユニット６０８は、カメラが機能領域を通して外部画像を取り込むことができるため、カメラが起動された場合に機能領域を第２のモードで動作するように設定するように構成される。
【００７０】
少なくとも１つの実施において、モバイル端末が機能領域の下に配置された近接センサをさらに有する場合、図１１に示されるように、状態判定ユニット６０１は通信判定サブユニット６０５を備える。
【００７１】
通信判定サブユニット６０５は、モバイル端末が通信中であるかどうかを判定するように構成される。
【００７２】
第２の設定サブユニット６０８は、モバイル端末が通信中である場合、機能領域を第２のモードで動作するように設定することで、近接センサが透明な機能領域を通して発光および受光し、モバイル端末と光を反射する外部の物体との間の距離を判定することができるように構成される。
【００７３】
少なくとも１つの実施形態では、モバイル端末が機能領域の下に配置された周囲光センサをさらに有する場合、図１１に示されるように、状態判定ユニット６０１は周囲光センサ判定サブユニット６０６を備える。
【００７４】
周囲光センサー判定サブユニット６０６は、周囲光センサーが起動されたかどうかを判定するように構成される。
【００７５】
第２の設定サブユニット６０８は、周囲光センサが起動された場合に機能領域を第２のモードで動作するように設定することで、周囲光センサが透明な機能領域を通して周囲光をセンシングし、周囲光に応じてディスプレイスクリーンの輝度を調整することができるように構成される。
【００７６】
図１２は、本開示のさらに別の実施形態によるディスプレイスクリーンを制御するための装置７００の概略構造図である。図１２に示すように、装置７００は、少なくとも１つのプロセッサ７０１と、少なくとも１つのコンピュータ可読不揮発性メモリ７０２と、少なくとも１つの通信インタフェース７０３とを備える。メモリ７０２及び通信インタフェース７０３は、プロセッサ７０１と電気的および通信可能に接続される。
【００７７】
プロセッサ７０１は、汎用中央処理装置（ＣＰＵ）、マイクロプロセッサ、特定用途向け集積回路（ＡＳＩＣ）、または１つ以上の集積回路としてよい。
【００７８】
メモリ７０２は、読み出し専用メモリ（ＲＯＭ）、静的情報とインストラクションを格納できる他のタイプの静的メモリ、ランダムアクセスメモリ（ＲＡＭ）、動的情報とインストラクションを格納できる他のタイプの動的メモリ、電気的消去可能プログラマブル読み出し専用メモリ（ＥＥＰＲＯＭ）、コンパクトディスク読み出し専用メモリ（ＣＤ―ＲＯＭ）および他の光ディスク（コンパクトディスク、レーザディスク、デジタル多用途ディスク（ＤＶＤ）、ブルーレイディスクなどを含む）、磁気記憶メモリおよび他の磁気記憶媒体、ならびにインストラクションまたはデータ構造の形態で少なくとも１つのプログラムを記憶するように構成され、コンピュータによってアクセスできる任意の他の記憶媒体を含んでもよいが、それらに限定されない。メモリ７０２は、独立して設けられ、通信バスを介してプロセッサ７０１と電気的に接続することができる。少なくとも一実施形態では、メモリ７０２はプロセッサ７０１と一体化することもできる。
【００７９】
通信インターフェース７０３は、イーサネット、無線アクセスネットワーク（ＲＡＮ）、無線ローカルエリアネットワーク（ＷＬＡＮ）などの他のデバイスまたは通信ネットワークと通信するように構成される。
【００８０】
メモリ７０２は、プロセッサ７０１によって実行される少なくとも１つのプログラムを格納するように構成される。プロセッサ７０１は、メモリ７０２に格納された少なくとも１つのプログラムを実行し、図６から図９を参照して説明される方法を行うように構成される。
【００８１】
要約すると、ディスプレイスクリーン、ディスプレイスクリーンを有するモバイル端末、ディスプレイスクリーンを制御するための方法および装置が本開示によって提供される。ディスプレイスクリーンは、情報を表示するように設定されたアクティブ領域と、情報を表示するかまたは透明になるように設定された機能領域とを備える。機能アセンブリが機能領域の下に配置されている。機能領域は、第１のモードで動作しているとき、情報をアクティブ領域と一緒に表示するように設定される。一方、機能領域は、第２のモードで動作するとき、透明になるように設定されて、機能アセンブリが透明な機能領域を通して発光および受光することを可能にする。したがって、スルーホールをディスプレイスクリーンに設ける必要がなく、それによってディスプレイスクリーン全体に情報を表示することが可能になる。さらに、機能領域は光を透過させることができ、それによって表示領域の占める割合が効果的に向上され、モバイル端末の美観が効果的に改善される。
【００８２】
本開示は特定の１つ以上の実施形態に関して例示および説明されてきたが、この説明および添付の図面を読んで理解すると、当業者には特定の同等の変更および修正が想到されるであろう。本開示は、そのような全ての変更および修正を含み、添付の特許請求の範囲によってのみ限定される。特に上述の構成要素によって実行される様々な機能に関して、そのような構成要素を説明するために使用される用語は、他に明示しない限り、本開示に例示された例示的な実施形態における機能を実行する開示された構造と構造的に等価ではないが、説明される構成要素の特定の機能を実行する任意の構成要素に対応する（即ち、機能的に等価）ことを意図する。さらに、本開示の特定の特徴はいくつかの実施形態のうちの１つのみに関して開示されているが、そのような特徴は、任意の所与のまたは特定の用途に望まれ有利であり得る他の実施形態の１つまたは複数の特徴と組み合わせることができる。さらに、「含む」、「有する」、「備える」、「具備する」、「と」、またはそれらの変形が使用される限りにおいて、そのような用語は「含む」という用語と同様で、ある意味で包括的であることが意図されている。
【００８３】
結論として、本開示は実施形態として説明されているが、それらは本開示を限定することを意図しない。当業者であれば、本開示の要旨および範囲から逸脱することなく様々な変形および改良を加えることができる。したがって、本開示の保護範囲は特許請求の範囲に規定された範囲に準じる。
【図１】
0006799688.tif 000002
【図２】
0006799688.tif 000003
【図３】
0006799688.tif 000004
【図４】
0006799688.tif 000005
【図５】
0006799688.tif 000006
【図６】
0006799688.tif 000007
【図７】
0006799688.tif 000008
【図８】
0006799688.tif 000009
【図９】
0006799688.tif 000010
【図１０】
0006799688.tif 000011
【図１１】
0006799688.tif 000012
【図１２】
0006799688.tif 000013